(57)【要約】【課題】吹付け塗装時の建物のコーナ部の施工性を格段に向上することができ、併せて、補助仕上げ材を平板形状とすることによって、コストをおさえることができる建物の出隅コーナ部の仕上げ構造および仕上げ方法を提供することを目的とする。【解決手段】第１の壁パネル１の一側側面に第２の壁パネル２の端面を突き合わせて、これら第１および第２の壁パネル１、２によって、建物の出隅コーナ部Ａを形成する仕上げ構造において、前記第１および第２の壁パネル１、２の表面に壁パネルの表面全面を覆う仕上げ板材３を取り付け、かつ、前記第１の壁パネル１の端面に、この端面を覆う補助仕上げ材４を設けることを前記課題の解決手段とした。【選択図】図１
2005344425.tif 000002
【特許請求の範囲】
【請求項１】
第１の壁パネルの一側側面に第２の壁パネルの端面を突き合わせて、これら第１および第２の壁パネルによって形成される、建物の出隅コーナ部の仕上げ構造において、
前記第１および第２の壁パネルの表面には壁パネルの表面全面を覆う仕上げ板材が取り付けられ、かつ、前記第１の壁パネルの端面には、この端面を覆う補助仕上げ材が設けられていることを特徴とする建物の出隅コーナ部の仕上げ構造。
【請求項２】
請求項１に記載の建物の出隅コーナ部の仕上げ構造において、
前記補助仕上げ材を含む、互いに隣り合う仕上げ板材どうしが、それらの間に所定の隙間を設けるようにして配置され、
前記隙間にバックアップ材が嵌め込まれ、かつ、その上から充填材がその表面を前記仕上げ板材の表面とほぼ面一になるように充填されていることを特徴とする建物の出隅コーナ部の仕上げ構造。
【請求項３】
第１の壁パネルの一側側面に第２の壁パネルの端面を突き合わせて、これら第１および第２の壁パネルによって形成される、建物の出隅コーナ部を仕上げる仕上げ方法において、
あらかじめ第１および第２の壁パネルの表面に、壁パネルの表面全面を覆う仕上げ板材を取り付けておき、第１の壁パネルの一側側面に第２の壁パネルの端面を突き合わせた後、第１の壁パネルの端面に、この端面を覆う補助仕上げ材を取り付けることを特徴とする建物のコーナ部の仕上げ方法。
【請求項４】
請求項３に記載の建物のコーナ部の仕上げ方法において、
第１および第２の壁パネルの表面全面を覆う前記仕上げ板材と、第１の壁パネルの端面を覆う補助仕上げ材との隙間に充填材を充填した後、これら仕上げ板材および充填材の表面全面に吹付け塗装することを特徴とする建物のコーナ部の仕上げ方法。
【発明の詳細な説明】
【技術分野】
【０００１】
本発明は、第１の壁パネルの一側側面に第２の壁パネルの端面を突き合わせて、これら第１および第２の壁パネルによって形成する、建物の出隅コーナ部の仕上げ構造および仕上げ方法に関する。
【背景技術】
【０００２】
一般住宅や集合住宅の建物として、木質系のパネルを用いて施工する、いわゆるパネル組み立て式の建物が多く建築されている。そして、近年では、こうした建物の外壁に対するその表面の仕上げ板材として、無機質系のサイディング材（仕上げ板材）を施すことが多い。その際、そのサイディング材の施工を現場施工とした場合、特に、建物の躯体表面への寸法合わせや切断などの作業に多大な手間がかかる。そのため、最近では、壁パネルの表面に対し、工場等において予めサイディング材を貼り付けておくことによって、現場施工の手間を省く工法も開発されている。（例えば、特許文献１参照。）。
【０００３】
この技術は、下地パネル（壁パネル）の外面に対し、工場において仕上げ板材としての外装材をその左右両端だけを残して貼り付けた外壁パネルだけを造り、現場においてその外壁パネルどうしを接続した後、外装材を貼り付けていない前記両端部分に対して外装材を現場施工する方法である。その場合、工場で貼る外装材も現場で貼る外装材もサネはぎによる接合とすることによって、目地処理作業を省略、あるいは簡略化できるようにしている。
【０００４】
しかし、仕上げ板材どうしのサネはぎによる接合形態について着目してみると、仕上げ板材は、一方の端部にオスサネを、他方の端部にメスサネを設けた構成としているため、現場施工の仕上げ板材を取り付ける際に、オス・メスの向きを配慮して仕上げ板材を取り付けなければならず、特に出隅となるコーナ部では、貼り付けるコーナ仕上げ板材は、メス・オスの向きが合うように専用の部材として用意しておかなければならなかった。
【０００５】
図４は、このような出隅コーナ部Ｒの仕上げ構造を示す従来技術である（特許文献２参照。）。
この発明においては、長さ方向の一端部にオスサネ３２０を、他端部にメスサネ３２１を備えた第２のサイディング材３２で建物壁面２１、２２を覆い、建物のコーナ部Ｒに臨む一方のサイディング材のみを、両端部にオスサネ３１０、３１０を備えた第１のサイディング材３１とすることによって、建物のコーナ部Ｒをオスサネ３１０、３１０が臨む仕上げ形態とし、コーナ仕上げ板材５０を容易に上から被せる操作で、コーナ部Ｒの仕上げができるものである。
【特許文献１】実開平０４−１００７０７号公報
【特許文献２】特開平０９−０６０２４８号公報
【発明の開示】
【発明が解決しようとする課題】
【０００６】
ところが、前記コーナ仕上げ板材のような断面Ｌ型の役物を取り付ける際に、建物壁面を覆う仕上げ板材の大きさをどのようにするかは、前記特許文献２に記載した従来技術だけに限らず、仕上げ板材の施工を含めて建物全体の施工性を左右する重要な問題である。
【０００７】
すなわち、図５に示すような吹付け塗装を行う場合の出隅コーナ部Ｂの納まりを例に挙げれば、それぞれの壁パネルＰ２、Ｐ３において、一方の仕上げ板材１５は、自身が付属する壁パネルＰ２の端部Ｐａよりも幅広になるように設けられ、他方の仕上げ板材１６は、自身が付属する壁パネルＰ３の端部Ｐｂよりも幅狭になるように設けられている。
【０００８】
このような構造の場合、断面Ｌ型のコーナ仕上げ板材１７を取り付けるために、コーナ部Ｂ付近の仕上げ板材１５、１６は、コーナ部Ｂ以外の仕上げ板材とは異なる規格で製造しなければならず、工場での材料加工や製作性に難点が伴うとともに、壁パネルＰ３に対しても全面に仕上げ板材１６を艤装させることができないので、現場での作業性を向上させることができない。
また、一方の仕上げ板材１５は、壁パネルＰ２の端部Ｐａよりも突出して設けられているので、輸送中や施工中に破損するおそれもあった。
【０００９】
本発明の課題は、建物のコーナ部の施工性を格段に向上することができ、併せて、コーナ部を仕上げる仕上げ板材として、平板形状の補助仕上げ材を用いることによって、コストをおさえることができる建物の出隅コーナ部の仕上げ構造および仕上げ方法を提供することを目的とする。
【課題を解決するための手段】
【００１０】
請求項１記載の発明は、例えば図１に示すように、第１の壁パネル１の一側側面に第２の壁パネル２の端面を突き合わせて、これら第１および第２の壁パネル１、２によって、建物の出隅コーナ部Ａを形成する仕上げ構造において、
前記第１および第２の壁パネル１、２の表面に壁パネルの表面全面を覆う仕上げ板材３を取り付け、かつ、前記第１の壁パネル１の端面に、この端面を覆う補助仕上げ材４を設けることを前記課題の解決手段とした。
【００１１】
請求項１記載の発明によれば、第１および第２の壁パネル１、２の表面に壁パネルの表面全面を覆う仕上げ板材３を取り付けて、この第１の壁パネル１の一側側面に第２の壁パネル２の端面を突き合わせることによって、第１の壁パネル１に直交する方向に第２の壁パネル２が設けられて建物の出隅部分となる。この時、第１の壁パネル１の端面には、仕上げ板材３が覆われていない露出部分が生じるが、この端面に補助仕上げ材４を取り付けるだけで露出部分を覆うことができ、建物の出隅コーナ部Ａを簡単に形成させることができる。したがって、現場の施工性を向上させることができる。
【００１２】
また、前記補助仕上げ材４は、第１の壁パネル１と第２の壁パネル２を直交させて出隅を形成させる際に生じる、第１の壁パネル１の露出部分を覆うことが可能な形状である。例えば、図１に示すように、第１および第２の壁パネル１、２に取り付けられた仕上げ板材３とほぼ同様の厚みを有すとともに、前記露出部分を覆うことができる幅寸法となっている。
そして、このような形状であれば、従前使用されてきた断面Ｌ型のコーナ部Ａ材等に比して、現場での取り付け作業が簡単になるとともに、工場での材料加工や製作性においても優れる。
さらに、第１および第２の壁パネル１、２に取り付ける仕上げ板材３の幅寸法を、それぞれの壁パネルの幅寸法と合わせることができるので、輸送中や施工中の仕上げ板材３の破損を防ぐことができるので好ましい。
【００１３】
請求項２記載の発明は、例えば図１および図２に示すように、前記補助仕上げ材４を含む、互いに隣り合う仕上げ板材３どうしが、それらの間に所定の隙間５を設けるようにして配置し、
前記隙間５にバックアップ材５ａを嵌め込み、かつ、その上から充填材５ｂをその表面を前記仕上げ板材３の表面とほぼ面一になるように充填することを前記課題の解決手段とした。
【００１４】
請求項２記載の発明によれば、前記補助仕上げ材４を含む、互いに隣り合う仕上げ板材３どうし間の隙間５が充填材５ｂで充填されるので、表面が平坦となり、よって、これら仕上げ板材３の表面全面への吹付け塗装の仕上がりが秀麗なものとなる。
また、前記隙間５には、バックアップ材５ａが嵌め込まれているので、この充填材５ｂを受け止めることができ、充填された充填材５ｂを支持することができる。
なお、充填材５ｂとしては、例えばパテ５ｂが好適に使用されるが、これに限るものではない。
【００１５】
請求項３記載の発明は、例えば図１に示すように、第１の壁パネル１の一側側面に第２の壁パネル２の端面を突き合わせて、これら第１および第２の壁パネル１、２によって、建物の出隅コーナ部Ａを形成する仕上げ方法において、
あらかじめ第１および第２の壁パネル１、２の表面に、壁パネルの表面全面を覆う仕上げ板材３を取り付けておき、第１の壁パネル１の一側側面に第２の壁パネル２の端面を突き合わせた後、第１の壁パネル１の端面に、この端面を覆う補助仕上げ材４を取り付けることを前記課題の解決手段とした。
【００１６】
請求項３記載の発明によれば、あらかじめ第１および第２の壁パネル１、２の表面に、壁パネルの表面全面を覆う仕上げ板材３を取り付けておくことによって、現場で仕上げ板材３を取り付ける手間を省くことができ、施工性を向上させるので好ましい。
そして、このような第１の壁パネル１の一側側面に第２の壁パネル２の端面を突き合わせた後に、第１の壁パネル１の端面に、補助仕上げ材４を取り付けるだけで、この端面を覆うことができ、建物の出隅コーナ部Ａを簡単に形成させることができる。したがって、現場の施工性を向上させることができる。
【００１７】
請求項４記載の発明は、例えば図１に示すように、第１および第２の壁パネル１、２の表面を覆う前記仕上げ板材３と、第１の壁パネル１の端面を覆う補助仕上げ材４との隙間５に充填材５ｂを充填した後、これら仕上げ板材および充填材の表面全面に吹付け塗装することを前記課題の解決手段とした。
【００１８】
請求項４記載の発明によれば、第１および第２の壁パネル１、２の表面を覆う前記仕上げ板材３と、第１の壁パネル１の端面を覆う補助仕上げ材４との隙間５に充填材５ｂを充填した後、これら仕上げ板材および充填材の表面全面に吹付け塗装するので、前記隙間５が目立たずに塗装でき、仕上がりが秀麗なものとなる。
【発明の効果】
【００１９】
本発明に係る建物の出隅コーナ部の仕上げ構造によれば、この建物の出隅コーナ部を形成する際に、第１の壁パネルの端面に補助仕上げ材を取り付けるだけで、仕上げ板材が覆われていない露出部分を簡単に覆うことができるとともに、第１および第２の壁パネルに取り付ける仕上げ板材の幅寸法を、それぞれの壁パネルの幅寸法と合わせることができるので、輸送中や施工中の仕上げ板材の破損を防ぐことができる。さらに、このように平板形状であれば、従前使用されてきた断面Ｌ型のコーナ部材等に比して、工場での材料加工や製作性においても優れ、しかもコストをおさえることができる。
【００２０】
また、本発明に係る建物の出隅コーナ部の仕上げ方法によれば、あらかじめ第１および第２の壁パネルの表面に、これら壁パネルの表面全面を覆う仕上げ板材を取り付けておくことによって、現場で仕上げ板材を取り付ける手間を省くことができ、施工性を向上させる。そして、このような第１の壁パネルの一側側面に第２の壁パネルの端面を突き合わせた後に、第１の壁パネルの端面に、補助仕上げ材を取り付けるだけで、この端面を覆うことができ、建物の出隅コーナ部を簡単に形成させることができる。したがって、現場の施工性を格段に向上させることができる。
【００２１】
さらに、前記補助仕上げ材を含む、互いに隣り合う仕上げ板材どうしの間の隙間には、バックアップ材が嵌め込まれ、その上から充填材が、前記仕上げ板材の表面とほぼ面一になるように充填されていることから、これら仕上げ板材および充填材の表面全面に吹付け塗装をすることによって、補助仕上げ材を含む仕上げ板材と隙間との境界が目立たせずに塗装でき、仕上がりが秀麗なものとなる。
【発明を実施するための最良の形態】
【００２２】
以下、図面を参照して本発明に係る建物の出隅コーナ部の仕上げ構造および仕上げ方法の実施の形態について説明する。
【００２３】
本実施の形態の建物の出隅コーナ部Ａの仕上げ構造は、図１に示すように、第１の壁パネル１の一側側面に第２の壁パネル２の端面を突き合わせて、これら第１および第２の壁パネル１、２によって、建物の出隅コーナ部Ａを形成するもので、前記第１および第２の壁パネル１、２の表面には壁パネルの表面全面を覆う仕上げ板材３が取り付けられ、かつ、前記第１の壁パネル１の端面には、この端面を覆う補助仕上げ材４が設けられている。
【００２４】
前記第１の壁パネル１は、四角形状の枠状に組んだ複数の芯材と、その表裏を被う面材とが備えられ内部中空な構造となっている。また、その内部中空な部分には、通常、グラスウールやロックウール等の断熱材が装填される。
そして、一方の端面は建物のコーナ部Ａに位置し、他方の端面は開口部が形成されるためにサッシ１１が取り付けられている。
【００２５】
前記第２の壁パネル２は、その基本構造は第１の壁パネル１と同様である。また、一方の端面は、第１の壁パネル１の一側側面に接合されているが、他方の端面は、ボルトナット等のジョイント部材１２によって連結されており、図面にはあらわしていないが、例えば中央部分に窓用の開口を備える形態となるように、第２の壁パネル２を含む４つの単位パネルを連結し、大型の壁パネル体Ｐとして構成したものであって、全体として長方形である。
なお、本実施の形態では、第２の壁パネル２の他方の端面をジョイント部材１２で連結したが、これに限られるものではなく、例えば、釘打ち等による連結でも良く、また、これら連結用の部材等によって連結されずとも良い。
また、大型の壁パネル体Ｐを全体として長方形としたが、これに限られるものではなく、例えば、壁パネル体の一部が桁下がりとなっている場合には台形状の壁パネル体が用いられるように、躯体構造に合わせた形状が好ましい。
【００２６】
また、第１の壁パネル１と第２の壁パネル２を接合するために、第２の壁パネル２の側縁部表面には、横耳合板６が壁パネルの端部よりも側方に突出して取り付けられており、突出した横耳部６ａは、第１の壁パネル１の端面に合わさる幅寸法に形成されている。
【００２７】
前記仕上げ板材３は、第１の壁パネル１や第２の壁パネル２、その他、大型の壁パネル体Ｐを構成する単位パネルの、それぞれの表面形状に対応させて、矩形板状に形成されたものであり、各壁パネルの表面に上下に所定間隔で取り付けられた胴縁７に対して、釘打ち等によって固定されている。
そして、本実施の形態においては、第１および第２の壁パネル１、２に取り付けられる仕上げ板材３は、自身が付属する壁パネルとほぼ同様の幅寸法に形成されている。
【００２８】
前記補助仕上げ材４は、平形状の板材であり、かつ、第１の壁パネル１の端面を覆うことが可能な幅寸法に設定され、第１および第２の壁パネル１、２に設けられた仕上げ板材３の厚みとほぼ同様の厚みに形成されている。
【００２９】
そして、前記仕上げ板材３どうし間および仕上げ板材３と補助仕上げ材４間には所定の隙間５が形成されており、これら各隙間５には、バックアップ材５ａが嵌め込まれ、このバックアップ材５ａの上から充填材５ｂが充填されて、隙間５を埋めている。
【００３０】
なお、このバックアップ材５ａは、本実施の形態では、角バックアップ材５ａを用いるが、隙間５の広さに応じて、図２に示すような丸バックアップ材８を用いても良い。さらに、充填材５ｂとしては、例えばパテ５ｂが好適に使用されるが、これに限るものではない。
また、特に、補助仕上げ材４の取り付け構造において、例えば、第２の壁パネル２から延出して設けられた胴縁７と、第１の壁パネル１の端面との間に取り付けられた合板６ｂとの、２つの部材に跨るように、この補助仕上げ材４が取り付けられた場合、図３に示すように、第２の壁パネル２に取り付けられた仕上げ板材３と補助仕上げ材４間に不陸が生じてしまうことがあり好ましくない。これを防ぐためには、図１に示すように、補助仕上げ材４を横耳合板６の横耳部６ａに取り付けて、２つの部材に跨がせないような構造が好ましい。
さらに、仕上げ板材３の表面に吹付け塗装を行う前に、隙間５に充填した充填材５ｂの表面を覆うようにしてテープ材を貼着すると、互いに隣り合う仕上げ板材３およびその間のテープ材との表面が平坦となるので、塗装後の仕上がりが秀麗なものとなり好ましい。
【００３１】
以上のような構成からなる建物のコーナ部Ａを施工するには、あらかじめ工場で第１および第２の壁パネル１、２の表面に、壁パネルの表面全面を覆う仕上げ板材３を取り付けておき、第１の壁パネル１の一側側面に第２の壁パネル２の端面を突き合わせた後、第１の壁パネル１の端面に、この端面を覆う補助仕上げ材４を取り付ける。
【００３２】
この際、第１の壁パネル１と第２の壁パネル２を接合するために、第２の壁パネル２の側縁部表面に取り付けられた前記横耳合板６の横耳部６ａを第１の壁パネル１の端面に合わせて、その上から補助仕上げ材４を釘打ち等によって取り付ける。
なお、これら壁パネルおよびコーナ部Ａの接合部分には透湿防水シート９等の防水シートを設けて、目地埋めだけではなく更に防水加工を施しておくようにする。
【００３３】
このように建物のコーナ部Ａの概形を構成した後は、まず、各仕上げ板材３間や、仕上げ板材３と補助仕上げ材４との間に形成された隙間５（目地）に、バックアップ材５ａを嵌め込み、バックアップ材５ａを嵌め込んだその上からパテ５ｂを充填して隙間５を埋める。
パテ５ｂを充填する際は、前記仕上げ板材３の表面とほぼ面一になるように充填して、不陸を生じさせないようにする。
【００３４】
なお、部位によってはサネ接合等が可能な場合もあり、このような時は前記バックアップ材５ａ無しでパテ５ｂを充填するだけで良い。
また、組み立て精度によっては前記隙間５が広くなってしまう場合もあり、そのような時には、嵌め込むバックアップ材５ａを角バックアップ材５ａではなく、丸バックアップ材８に代えて嵌め込むことによって、隙間５の広さに対応することができて好ましい。
【００３５】
そして、第１および第２の壁パネル１、２の表面を覆う前記仕上げ板材３と、第１の壁パネル１の端面を覆う補助仕上げ材４と、前記隙間５に充填された充填材５ｂとの表面全面に対して吹付け材１０を塗装する。
【００３６】
以上のような工程を経ることで、建物の出隅コーナ部Ａを構成することができ、このような仕上げ構造の出隅コーナ部Ａによって、吹付け塗装時の建物の出隅コーナ部Ａの施工性を格段に向上することができ、併せて、補助仕上げ材４を平板形状とすることによって、コストをおさえることができる。
【図面の簡単な説明】
【００３７】
【図１】本発明の建物の出隅コーナ部の仕上げ構造を示す平面図である。
【図２】丸バックアップ材を嵌め込む場合の一例を示す平面図である。
【図３】補助仕上げ材の取り付け時に不陸が生じた場合の一例を示す平面図である。
【図４】従来の建物の出隅コーナ部の仕上げ構造を示す平面図である。
【図５】従来の建物の出隅コーナ部の仕上げ構造の他の一例を示す平面図である。
【符号の説明】
【００３８】
１  第１の壁パネル
２  第２の壁パネル
３  仕上げ板材
４  補助仕上げ材
５  隙間（目地）
５ａ  バックアップ材
５ｂ  充填材
【図１】
2005344425.tif 000003
【図２】
2005344425.tif 000004
【図３】
2005344425.tif 000005
【図４】
2005344425.tif 000006
【図５】
2005344425.tif 000007